(57)【要約】  電力消費を減少させるような方法で、サーチを実行して、ＵＥのスタンバイ時間を延長するための技術をここで説明する。ＵＥは、第１のＲＡＴ（例えば、ＧＳＭ）の担当セル上にキャンプしてもよく、よりよいセルを見つけるために、第２のＲＡＴに対するサーチを定期的に実行してもよい。１つの観点では、ＵＥは、第１のＲＡＴに対する受信信号レベルと、第２のＲＡＴに対する受信信号レベルとに基づいて、第２のＲＡＴに対するサーチのレートを変化させてもよい。ＵＥは、２つのＲＡＴに対する受信信号レベルの間の差を決定し、少なくとも１つのしきい値に対して差を比較して、この差が入っている範囲に関係するサーチレートを、第２のＲＡＴに対するサーチのレートとして選択してもよい。別の観点では、ＵＥは、２つのＲＡＴに対する周波数帯域を考慮することによって、第２のＲＡＴに対するサーチの特定の観点を制御してもよい。【選択図】図６
2010522511.tif 000002
【特許請求の範囲】
【請求項１】
ワイヤレス通信のための装置において、
少なくとも１つのプロセッサと、
前記少なくとも１つのプロセッサに結合されているメモリと
を具備し、
前記少なくとも１つのプロセッサは、
第１の無線アクセス技術（ＲＡＴ）に対する受信信号レベルを決定し、
第２のＲＡＴに対する受信信号レベルを決定し、
前記第１のＲＡＴに対する受信信号レベルと、前記第２のＲＡＴに対する受信信号レベルとの間の差を決定し、
前記第１のＲＡＴに対する受信信号レベルと、前記第２のＲＡＴに対する受信信号レベルとの間の前記差に基づいて、前記第２のＲＡＴに対するサーチのレートを決定する
ように構成されている装置。
【請求項２】
前記少なくとも１つのプロセッサは、前記差に基づいて、複数の可能性あるレートのうちの１つを選択し、前記選択されたレートを、前記第２のＲＡＴに対するサーチのレートとして使用するように構成されている、請求項１記載の装置。
【請求項３】
前記少なくとも１つのプロセッサは、前記差がしきい値より小さい場合に、第１のレートを選択し、前記差が前記しきい値よりも大きい場合に、前記第１のレートより遅い第２のレートを選択するように構成されており、前記選択された第１または第２のレートを、前記第２のＲＡＴに対するサーチのレートとして使用するように構成されている、請求項１記載の装置。
【請求項４】
前記少なくとも１つのプロセッサは、複数の範囲についての複数のしきい値に対して前記差を比較し、前記差が入っている範囲に関係するサーチレートを、第２のＲＡＴに対するサーチのレートとして選択するように構成され、それぞれの範囲が異なるサーチレートに関係している、請求項１記載の装置。
【請求項５】
前記少なくとも１つのプロセッサは、前記差の関数に基づいて、前記第２のＲＡＴに対するサーチのレートを決定するように構成されている、請求項１記載の装置。
【請求項６】
前記少なくとも１つのプロセッサは、少なくとも１つの条件が満たされるまで、予め定められたレートを、前記第２のＲＡＴに対するサーチのレートとして選択し、前記少なくとも１つの条件が満たされた後に、前記差に基づいて、複数の可能性あるレートのうちの１つを、前記第２のＲＡＴに対するサーチのレートとして選択するように構成されている、請求項１記載の装置。
【請求項７】
前記第２のＲＡＴに対する予め定められた数の最近のサーチが不成功である場合に、または、セル再選択が予め定められた秒数内に実行されない場合に、または、両方の場合に、前記少なくとも１つの条件が満たされる、請求項６記載の装置。
【請求項８】
前記少なくとも１つのプロセッサは、前記第１のＲＡＴに対する受信信号レベルが低いしきい値を下回る場合に、前記第２のＲＡＴに対する、すべての可能性あるサーチのレートの中で、最も速いレートを選択するように構成されている、請求項１記載の装置。
【請求項９】
前記少なくとも１つのプロセッサは、前記第１のＲＡＴ中の担当セルとアイドルモードで動作し、前記担当セルの受信信号レベルを、前記第１のＲＡＴに対する受信信号レベルとして使用するように構成されている、請求項１記載の装置。
【請求項１０】
前記第１のＲＡＴは、移動体通信のためのグローバルシステム（ＧＳＭ）であり、前記第２のＲＡＴは、広帯域コード分割多元接続（ＷＣＤＭＡ）である、請求項１記載の装置。
【請求項１１】
ワイヤレス通信のための方法において、
第１の無線アクセス技術（ＲＡＴ）に対する受信信号レベルを決定することと、
第２のＲＡＴに対する受信信号レベルを決定することと、
前記第１のＲＡＴに対する受信信号レベルと、前記第２のＲＡＴに対する受信信号レベルとの間の差を決定することと、
前記第１のＲＡＴに対する受信信号レベルと、前記第２のＲＡＴに対する受信信号レベルとの間の前記差に基づいて、前記第２のＲＡＴに対するサーチのレートを決定することと
を含む方法。
【請求項１２】
前記サーチのレートを決定することは、
前記差に基づいて、複数の可能性あるレートのうちの１つを選択することと、
前記選択されたレートを、前記第２のＲＡＴに対するサーチのレートとして使用することと
を含む、請求項１１記載の方法。
【請求項１３】
前記サーチのレートを決定することは、
複数の範囲に対する少なくとも１つのしきい値に対して前記差を比較することと、
前記差が入っている範囲に関係するサーチレートを、第２のＲＡＴに対するサーチのレートとして選択することと
を含み、
それぞれの範囲が異なるサーチレートに関係している、請求項１１記載の方法。
【請求項１４】
前記サーチのレートを決定することは、
少なくとも１つの条件が満たされるまで、予め定められたレートを、前記第２のＲＡＴに対するサーチのレートとして選択することと、
前記少なくとも１つの条件が満たされた後に、前記差に基づいて、複数の可能性あるレートのうちの１つを、前記第２のＲＡＴに対するサーチのレートとして選択することと
を含む、請求項１１記載の方法。
【請求項１５】
前記第１のＲＡＴに対する受信信号レベルが低いしきい値を下回る場合に、前記第２のＲＡＴに対する、すべての可能性あるサーチのレートの中で、最も速いレートを選択することをさらに含む、請求項１１記載の方法。
【請求項１６】
ワイヤレス通信のための装置において、
第１の無線アクセス技術（ＲＡＴ）に対する受信信号レベルを決定する手段と、
第２のＲＡＴに対する受信信号レベルを決定する手段と、
前記第１のＲＡＴに対する受信信号レベルと、前記第２のＲＡＴに対する受信信号レベルとの間の差を決定する手段と、
前記第１のＲＡＴに対する受信信号レベルと、前記第２のＲＡＴに対する受信信号レベルとの間の前記差に基づいて、前記第２のＲＡＴに対するサーチのレートを決定する手段と
を具備する装置。
【請求項１７】
前記サーチのレートを決定する手段は、
複数の範囲に対する少なくとも１つのしきい値に対して前記差を比較する手段と、
前記差が入っている範囲に関係するサーチレートを、第２のＲＡＴに対するサーチのレートとして選択する手段と
を備え、
それぞれの範囲が異なるサーチレートに関係している、請求項１６記載の装置。
【請求項１８】
前記第１のＲＡＴに対する受信信号レベルが低いしきい値を下回る場合に、前記第２のＲＡＴに対する、すべての可能性あるサーチのレートの中で、最も速いレートを選択する手段をさらに具備する、請求項１６記載の装置。
【請求項１９】
コンピュータ読取可能媒体を備えるコンピュータプログラム製品において、
前記コンピュータ読取可能媒体は、
少なくとも１つのコンピュータに、第１の無線アクセス技術（ＲＡＴ）に対する受信信号レベルを決定させるコードと、
少なくとも１つのコンピュータに、第２のＲＡＴに対する受信信号レベルを決定させるコードと、
少なくとも１つのコンピュータに、前記第１のＲＡＴに対する受信信号レベルと、前記第２のＲＡＴに対する受信信号レベルとの間の差を決定させるコードと、
少なくとも１つのコンピュータに、前記第１のＲＡＴに対する受信信号レベルと、前記第２のＲＡＴに対する受信信号レベルとの間の前記差に基づいて、前記第２のＲＡＴに対するサーチのレートを決定させるコードと
を含むコンピュータプログラム製品。
【請求項２０】
前記コンピュータ読取可能媒体は、
少なくとも１つのコンピュータに、複数の範囲に対する少なくとも１つのしきい値に対して前記差を比較させるコードと、
少なくとも１つのコンピュータに、前記差が入っている範囲に関係するサーチレートを、第２のＲＡＴに対するサーチのレートとして選択させるコードと
をさらに含み、
それぞれの範囲が異なるサーチレートに関係している、請求項１９記載のコンピュータプログラム製品。
【請求項２１】
前記コンピュータ読取可能媒体は、
前記第１のＲＡＴに対する受信信号レベルが低いしきい値を下回る場合に、前記第２のＲＡＴに対する、すべての可能性あるサーチのレートの中で、最も速いレートを、少なくとも１つのコンピュータに選択させるコードをさらに含む、請求項１９記載のコンピュータプログラム製品。
【請求項２２】
ワイヤレス通信のための装置において、
少なくとも１つのプロセッサと、
前記少なくとも１つのプロセッサに結合されているメモリと
を具備し、
前記少なくとも１つのプロセッサは、
第１の無線アクセス技術（ＲＡＴ）に対する受信信号レベルを決定し、
前記第１のＲＡＴに対する受信信号レベルと、前記第１のＲＡＴに対する周波数帯域と、第２のＲＡＴに対する周波数帯域とに基づいて、前記第２のＲＡＴに対するサーチを制御する
ように構成されている装置。
【請求項２３】
前記少なくとも１つのプロセッサは、
前記第１のＲＡＴに対する周波数帯域と、前記第２のＲＡＴに対する周波数帯域とに基づいて、前記第１のＲＡＴに対するパス損失と、前記第２のＲＡＴに対するパス損失との間の差を示す係数を決定し、
前記第１のＲＡＴに対する前記係数と、前記第１のＲＡＴに対する受信信号レベルとに基づいて、前記第２のＲＡＴに対するサーチを制御する
ように構成されている、請求項２２記載の装置。
【請求項２４】
前記少なくとも１つのプロセッサは、前記第１のＲＡＴに対する受信信号レベルと、前記第１のＲＡＴに対する周波数帯域と、前記第２のＲＡＴに対する周波数帯域とに基づいて、前記第２のＲＡＴに対するサーチを実行するか、または、スキップするかを決定するように構成されている、請求項２２記載の装置。
【請求項２５】
前記少なくとも１つのプロセッサは、前記第１のＲＡＴに対する受信信号レベルと、前記第１のＲＡＴに対する周波数帯域と、前記第２のＲＡＴに対する周波数帯域とに基づいて、前記第２のＲＡＴに対するサーチのレートを決定するように構成されている、請求項２２記載の装置。
【請求項２６】
前記少なくとも１つのプロセッサは、前記第１のＲＡＴに対する受信信号レベルと、前記第１のＲＡＴに対する周波数帯域と、前記第２のＲＡＴに対する複数の周波数帯域とに基づいて、前記第２のＲＡＴに対する複数の周波数帯域の中で、少なくとも１つの周波数帯域を選択し、前記少なくとも１つの周波数帯域のみに対して、前記第２のＲＡＴに対するサーチを実行するように構成されている、請求項２２記載の装置。
【請求項２７】
前記少なくとも１つのプロセッサは、前記第２のＲＡＴに対する複数の周波数帯域の順序を決定し、１回につき１つの周波数帯域で、前記決定された順序にしたがって、前記複数の周波数帯域に対して、前記第２のＲＡＴに対するサーチを実行するように構成されている、請求項２２記載の装置。
【請求項２８】
ワイヤレス通信のための方法において、
第１の無線アクセス技術（ＲＡＴ）に対する受信信号レベルを決定することと、
前記第１のＲＡＴに対する受信信号レベルと、前記第１のＲＡＴに対する周波数帯域と、第２のＲＡＴに対する周波数帯域とに基づいて、前記第２のＲＡＴに対するサーチを制御することと
を含む、ワイヤレス通信のための方法。
【請求項２９】
前記第２のＲＡＴに対するサーチを制御することは、
前記第１のＲＡＴに対する受信信号レベルと、前記第１のＲＡＴに対する周波数帯域と、前記第２のＲＡＴに対する周波数帯域とに基づいて、前記第２のＲＡＴに対するサーチを実行するか、または、スキップするかを決定することを含む、請求項２８記載の方法。
【請求項３０】
前記第２のＲＡＴに対するサーチを制御することは、
前記第１のＲＡＴに対する受信信号レベルと、前記第１のＲＡＴに対する周波数帯域と、前記第２のＲＡＴに対する周波数帯域とに基づいて、前記第２のＲＡＴに対するサーチのレートを決定することを含む、請求項２８記載の方法。
【請求項３１】
前記第２のＲＡＴに対するサーチを制御することは、
前記第１のＲＡＴに対する受信信号レベルと、前記第１のＲＡＴに対する周波数帯域と、前記第２のＲＡＴに対する複数の周波数帯域とに基づいて、前記第２のＲＡＴに対する複数の周波数帯域の中で、少なくとも１つの周波数帯域を選択することと、
前記少なくとも１つの周波数帯域のみに対して、前記第２のＲＡＴに対するサーチを実行することと
を含む、請求項２８記載の方法。
【請求項３２】
前記第２のＲＡＴに対するサーチを制御することは、
前記第２のＲＡＴに対する複数の周波数帯域の順序を決定することと、
１回につき１つの周波数帯域で、前記決定された順序にしたがって、前記複数の周波数帯域に対して、前記第２のＲＡＴに対するサーチを実行することと
を含む、請求項２８記載の方法。
【発明の詳細な説明】
【米国法第３５部第１１９条に基づく優先権の主張】
【０００１】
本出願は、２００７年３月２０日に出願され、“ＵＥがＧＳＭアイドルモードにあるときに、ＷＣＤＭＡサーチの数を減少させることによって、ＵＭＴＳスタンバイ時間を増加させること”と題された、米国仮出願第６０／８９５，８７０号に対する優先権を主張し、これは、本出願譲受人に譲渡され、ここで参照により明示的に組み込まれている。
【分野】
【０００２】
本開示は、一般的に通信に関連し、より詳細には、ワイヤレス通信システムに対するサーチを実行するための技術に関連する。
【背景】
【０００３】
ワイヤレス通信システムは、音声、ビデオ、パケットデータ、メッセージング、ブロードキャスト等のような、さまざまな通信サービスを提供するように広く配備されている。これらのシステムは、利用可能なシステムリソースを共有することによって、複数のユーザをサポートすることができる、複数アクセスシステムであってもよい。このような複数アクセスシステムの例は、コード分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングルキャリアＦＤＭＡ（ＳＣ−ＦＤＭＡ）システムを含む。
【０００４】
セルラ電話機、または、他の何らかのデバイスであってもよい、ユーザ装置（ＵＥ）は、異なる無線アクセス技術（ＲＡＴ）のワイヤレス通信システムと通信できてもよい。例えば、ＵＥは、２つの広く配備されているＲＡＴである、移動体通信のためのグローバルシステム（ＧＳＭ）と、広帯域ＣＤＭＡ（ＷＣＤＭＡ）とをサポートしてもよい。電源投入の際、または、カバレッジをなくした際に、ＵＥは、そこからＵＥが通信サービスを受信することができる適切なセルをサーチするかもしれない。用語“セル”は、用語が使用される文脈に依拠して、基地局、および／または、基地局のカバレッジエリアを指してもよい。適切なセルが見つかった場合、ＵＥは、必要な場合、そのセルとの登録を実行する。ＵＥがアイドルモード中であり、アクティブにそのセルと通信していない場合、ＵＥはそのセルに“キャンプ”してもよい。その上にＵＥがキャンプしているセルを、担当セルとして呼ぶ。
【０００５】
担当セル上にキャンプしている間に、ＵＥは、同じシステム、または、別のシステム中で、よりよいセルを定期的にサーチしてもよい。よりよいセルが見つかった場合、ＵＥは、セル再選択として共通して呼ばれるプロセスを介して、よりよいセルを新しい担当セルとして選択してもよい。アイドルモード中に実行されるサーチは、たとえチャネル状況が変化したとしても、例えば、ＵＥが新しいロケーションに移動した場合でも、ＵＥが最もよい可能性あるセル上にキャンプすることを可能にしてもよい。このことは、ＵＥが到来ページングメッセージを信頼可能に受信することや、呼を開始または受信することができるようにしてもよい。
【０００６】
アイドルモード中の間のよりよいセルに対するサーチは、多くの例において、有利であるかもしれない。しかしながら、これらのサーチは、ＵＥのバッテリ電力を消費し、このことは、アイドルモードにおけるスタンバイ時間を短くするかもしれない。したがって、技術において、アイドルモード中の間に効率的にサーチを実行するための技術に対する要望がある。
【発明の概要】
【０００７】
電力消費を減少させるような方法で、サーチを実行して、ＵＥのスタンバイ時間を延長するための技術をここで説明する。ＵＥは、第１のＲＡＴ（例えば、ＧＳＭ）の担当セル上にキャンプしてもよく、よりよいセルを見つけるために、第２のＲＡＴに対するサーチを定期的に実行してもよい。
【０００８】
１つの観点では、ＵＥは、第１のＲＡＴに対する受信信号レベルと、第２のＲＡＴに対する受信信号レベルとに基づいて、第２のＲＡＴに対するサーチのレートを変化させてもよい。１つの設計では、ＵＥは、第１のＲＡＴに対する受信信号レベルと、第２のＲＡＴに対する受信信号レベルと間の差を決定してもよい。次に、ＵＥは、この差に基づいて、第２のＲＡＴに対するサーチのレートを決定してもよい。ＵＥは、それぞれの範囲が異なるサーチレートに関係している、複数の範囲に対する少なくとも１つのしきい値に対して差を比較してもよい。ＵＥは、この差が入っている範囲に関係するサーチレートを、第２のＲＡＴに対するサーチのレートとして選択してもよい。ＵＥは、第１のＲＡＴに対する受信信号レベルが低いしきい値を下回る場合、すべての可能性あるサーチのレートの中で、最も速いレートを選択してもよい。
【０００９】
別の観点では、ＵＥは、２つのＲＡＴに対する周波数帯域を考慮することによって、第２のＲＡＴに対するサーチの特定の観点を制御してもよい。第１および第２のＲＡＴに対するセルは、同一のセルサイトにおいて、共に位置していてもよく、より高い周波数帯域で動作しているセルに対するパス損失は、より低い周波数帯域で動作しているセルに対するパス損失より高いかもしれない。１つの設計では、ＵＥは、２つのＲＡＴに対する周波数帯域に基づいて、第１のＲＡＴに対するパス損失と、第２のＲＡＴに対するパス損失との間の差を示す係数を決定してもよい。ＵＥは、次に、第１のＲＡＴに対する受信信号レベルと、係数とに基づいて、第２のＲＡＴに対する受信信号レベルを推定してもよい。ＵＥは、この推定された第２のＲＡＴに対する受信信号レベルを使用して、第２のＲＡＴに対するサーチを実行するか否か、第２のＲＡＴに対するサーチのレート、第２のＲＡＴに対してサーチを実行するための周波数帯域、等を決定してもよい。
【００１０】
本開示のさまざまな観点と特徴を、以下でさらに詳細に説明する。
【図面の簡単な説明】
【００１１】
【図１】図１は、２つのワイヤレス通信システムの配置を示す。
【図２】図２は、ＧＳＭとＷＣＤＭＡとに対する受信信号レベルの間の差に基づいて、ＷＣＤＭＡサーチのレートを選択するための１つの設計を示す。
【図３】図３は、ＧＳＭとＷＣＤＭＡとに対する受信信号レベルの間の差に基づいて、ＷＣＤＭＡサーチのレートを選択するための１つの設計を示す。
【図４】図４は、ＧＳＭとＷＣＤＭＡとに対する周波数帯域に基づいて、ＷＣＤＭＡサーチを制御する１つの設計を示す。
【図５】図５は、ＧＳＭとＷＣＤＭＡとに対する周波数帯域に基づいて、ＷＣＤＭＡサーチを制御する１つの設計を示す。
【図６】図６は、２つのＲＡＴに対する受信信号レベルに基づいてサーチを実行するためのプロセスを示す。
【図７】図７は、２つのＲＡＴに対する周波数帯域に基づいて、サーチを制御するためのプロセスを示す。
【図８】図８は、ＵＥのブロック図を示す。
【発明の詳細な説明】
【００１２】
ここで説明するサーチ技術は、ＣＤＭＡ、ＴＤＭＡ、ＦＤＭＡ、ＯＦＤＭＡ、および、ＳＣ−ＦＤＭＡシステムのようなさまざまなワイヤレス通信システムに対して使用されてもよい。用語“システム”および“ネットワーク”を相互交換可能に使用することが多い。ＣＤＭＡシステムは、ユニバーサル地上無線アクセス（ＵＴＲＡ）、ｃｄｍａ２０００等のようなＲＡＴを実現してもよい。用語“無線アクセス技術”、“ＲＡＴ”、“無線技術”および、“無線インターフェース”を相互交換可能に使用することが多い。ＵＴＲＡは、ＷＣＤＭＡと、他のＣＤＭＡ変形とを含む。ｃｄｍａ２０００は、ＩＳ−２０００、ＩＳ−９５、およびＩＳ−８５６標準規格をカバーする。ＴＤＭＡシステムは、ＧＳＭのようなＲＡＴを実現してもよい。ＯＦＤＭＡシステムは、進化ＵＴＲＡ（Ｅ−ＵＴＲＡ）、ウルトラ移動体ブロードバンド（ＵＭＢ）、ＩＥＥＥ８０２．１６、ＩＥＥＥ８０２．２０、フラッシュＯＦＤＭ（登録商標）等のようなＲＡＴを実現してもよい。ＵＴＲＡとＥ−ＵＴＲＡは、移動体電気通信システム（ＵＭＴＳ）の一部である。長期間発展（ＬＴＥ）は、Ｅ−ＵＴＲＡを利用するＵＭＴＳの次に来るリリースである。ＧＳＭ、ＵＴＲＡ、Ｅ−ＵＴＲＡ、ＵＭＴＳ、およびＬＴＥは、“第３世代パートナーシッププロジェクト”（３ＧＰＰ）と称される組織からの文書に説明されている。ｃｄｍａ２０００およびＵＭＢは、“第３世代パートナーシッププロジェクト２”（３ＧＰＰ２）と称される組織からの文書に説明されている。これらのさまざまなＲＡＴと標準規格は技術的に知られている。
【００１３】
明瞭さのために、技術のさまざまな観点を、ＧＳＭとＷＣＤＭＡをサポートしているＵＥに関して、以下で説明する。用語“ＷＣＤＭＡ”と“ＵＭＴＳ”を相互交換可能に使用することが多い。ＧＳＭは、音声サービスと、低から中レートのパケットデータサービスとを提供できる第２世代（２Ｇ）ＲＡＴである。ＷＣＤＭＡは、拡張サービスと能力、例えば、より高いデータレート、同時の音声とデータ呼等、を提供できる、第３世代（３Ｇ）ＲＡＴである。ネットワークオペレータ／サービスプロバイダは、オーバーラップしているカバレッジエリアでＧＳＭとＷＣＤＭＡとを配置してもよい。
【００１４】
図１は、第１のワイヤレスシステム１１０と、第２のワイヤレスシステム１２０との配置１００を示す。一般的に、システム１１０と１２０とは、何らかの２つの異なるＲＡＴを利用してもよい。明瞭さのために、以下の説明のほとんどは、システム１１０はＧＳＭシステムであり、システム１２０はＷＣＤＭＡシステムであるとして仮定する。ＧＳＭシステム１１０とＷＣＤＭＡシステム１２０は、公共地上移動体ネットワーク（ＰＬＭＮ）の一部であってもよく、オーバーラップしているカバレッジエリアを有していてもよい。
【００１５】
ＧＳＭシステム１１０は、ＧＳＭシステムのカバレッジエリア内でＵＥと通信する基地局１１２を含む。ＷＣＤＭＡシステム１２０は、ＷＣＤＭＡシステムのカバレッジエリア内で、ＵＥと通信するノードＢ１２２を含む。基地局１１２と、ノードＢ１２２とは、一般的に、ＵＥと通信する固定局であり、また、進化ノードＢ、アクセスポイント等のような他の名称で呼ばれてもよい。以下の説明において、基地局１１２は、ＧＳＭセルとして呼ぶこともあり、ノードＢ１２２は、ＷＣＤＭＡセルとして呼ぶこともある。
【００１６】
ＵＥ１５０は、ＧＳＭシステム１１０とＷＣＤＭＡシステム１２０と通信することができてもよく、一般的に何らかの所定の瞬間において、１つのシステムと通信することができてもよい。この能力は、ユーザがＷＣＤＭＡの性能の利点と、同一のＵＥでのＧＳＭのカバレッジの利点とを得ることを可能にする。（ＷＣＤＭＡ用語の）ＵＥ１５０は、据え置き、または、移動体であってもよく、（ＧＳＭ用語の）移動局、端末、アクセス端末、移動体装置、加入者ユニット、ステーション等としても呼ぶこともある。ＵＥ１５０は、セルラ電話機、パーソナルデジタルアシスタント（ＰＤＡ）、ワイヤレスデバイス、ワイヤレスモデム、手持ちデバイス、ラップトップコンピュータ等であってもよい。
【００１７】
ＧＳＭおよびＷＣＤＭＡシステムは、周波数帯域内の１つ以上の周波数チャネル上でそれぞれ動作してもよい。表１は、ＧＳＭとＷＣＤＭＡとに対して共通して使用されるいくつかの周波数帯域を列挙する。他の周波数帯域もまた、ＧＳＭとＷＣＤＭＡとに対して使用されてもよい。セルラとＰＣＳ帯域は、米国において、共通して使用されており、ＩＭＴ−２０００とＧＳＭ１８００帯域とはヨーロッパにおいて、共通して使用されている。
【表１】
2010522511.tif 000003
【００１８】
ＧＳＭシステムは、表１中の周波数帯域のうちの何らかのもので動作してもよく、または、他の何らかの周波数帯域で動作してもよく、これらを集合的にＧＳＭ帯域として呼んでもよい。それぞれのＧＳＭ帯域は、多くの２００ＫＨｚ無線周波数（ＲＦ）チャネルをカバーする。それぞれのＲＦチャネルは、特定のＡＲＦＣＮ（絶対無線周波数チャネル番号）によって識別される。ＲＦチャネルはまた、ＧＳＭチャネル、および周波数チャネルとしても呼んでもよい。ＧＳＭシステムは、特定のＧＳＭ帯域における特定の組のＲＦチャネルで動作してもよい。
【００１９】
ＷＣＤＭＡシステムは、表１中の周波数帯域のうちの何らかのもので、または、他の何らかの周波数帯域で動作してもよく、これらを集合的にＵＭＴＳ帯域として呼んでもよい。それぞれのＵＭＴＳ帯域は、およそ５ＭＨｚによって空間を開けられていてもよい、多くのＵＭＴＳチャネルをカバーしてもよい。それぞれのＵＭＴＳチャネルは、３．８４ＭＨｚの帯域と、２００ＫＨｚの分解能で与えられる中央周波数とを有する。それぞれのＵＭＴＳチャネルは、特定のチャネル番号によって識別されてもよく、これは、ＵＡＲＦＣＮ（ＵＴＲＡ ＡＲＦＣＮ）であってもよい。また、ＵＭＴＳチャネルをＷＣＤＭＡチャネル、ＵＴＲＡＮ周波数、周波数チャネル等として呼んでもよい。ＷＣＤＭＡシステムは、１つ以上の特定のＵＡＲＦＣＮで動作してもよい。
【００２０】
ＵＥは、電源投入の際に、システムをサーチしてもよい。システムが見つかった場合、ＵＥは、（ｉ）接続モードで動作し、サービスを得るためにシステムとアクティブに通信する、または、（ｉｉ）アイドルモードで動作し、通信が要求されない場合、システム上でキャンプする、のうちのいずれかであってもよい。ＵＥは、アイドルモードの間に、よりよいセルを定期的にサーチしてもよい。
【００２１】
ＵＥは、以下のように周波数帯域に対するＧＳＭサーチを実行してもよい。すなわち、  
・電力スキャンを実行し、周波数帯域中で、それぞれのＧＳＭチャネルの受信信号レベルを測定し、  
・強いＧＳＭチャネルを識別し、  
・それぞれの強いＧＳＭチャネル上に捕捉を試行し、  
・捕捉されたＧＳＭチャネルのリストをレポートする。
【００２２】
ＵＥは、電力スキャンから周波数帯域中で、それぞれのＧＳＭチャネルに対する受信信号レベルを得てもよい。用語“受信信号レベル”、“受信信号強度”、“受信信号強度表示”、“ＲＳＳＩ”、“受信電力”、“受信信号コード電力”、および、“ＲＳＣＰ”を相互交換可能に使用してもよい。ＵＥは、捕捉のために強いＧＳＭチャネル（例えば、検出しきい値を超える受信信号レベルを持つもの）を選択してもよく、残りの弱いＧＳＭチャネルを破棄してもよい。ＵＥは、（ｉ）周波数訂正チャネル（ＦＣＣＨ）上で送られるトーンを検出することによって、（ｉｉ）同期化チャネル（ＳＣＨ）上で送られるバーストをデコードして、ＧＳＭセルに対する基地トランシーバ局識別コード（ＢＳＩＣ）を得ることによって、そして、（ｉｉｉ）ブロードキャスト制御チャネル（ＢＣＣＨ）をデコードして、システム情報タイプ２クォーター（ＳＩ２ｑｕａｒｔｅｒ）、タイプ３（ＳＩ３）、タイプ４（ＳＩ４）、および／または他のメッセージを取得することによって、より強いＧＳＭチャネルの捕捉を実行してもよい。ＳＩ２ｑｕａｒｔｅｒメッセージは、測定値と、レポーティングパラメータ、および／または、ＷＣＤＭＡ隣接セルを含む。ＳＩ３とＳＩ４メッセージは、送信セル上と、そのＰＬＭＮとの情報を含む。ＧＳＭサーチは、０個の、１個の、または、複数個の、捕捉されたＧＳＭチャネルのリストを提供してもよい。
【００２３】
ＵＥは、以下のように、周波数帯域に対するＷＣＤＭＡサーチを実行してもよい。すなわち、  
・２ＭＨｚ、または、他の何らかの量によって空間を開けられた、粗周波数で、受信信号レベルの粗周波数スキャンと測定を実行し、  
・強い粗周波数を識別し、  
・それぞれの強い粗周波数前後のＵＡＲＦＣＮの範囲に対して、細周波数スキャンを実行  
・強いＵＡＲＦＣＮを識別  
・それぞれの強いＵＡＲＦＣＮ上に捕捉を試行し、  
・捕捉されたＵＭＴＳチャネルのリストをレポートする。
【００２４】
ＵＥは、アイドルモードで動作してもよく、担当ＧＳＭセル上にキャンプしてもよい。ＵＥは、担当ＧＳＭセルから、３Ｇセル再選択リストと、サーチパラメータを受け取ってもよい。３Ｇセル再選択リストは、他のＲＡＴのセルまたは周波数チャネルを含んでもよい。ＧＳＭシステムは、ＢＣＣＨ上でブロードキャストされているＱサーチ＿Ｉパラメータ内で、これらのセルの再選択に対する測定値を制御してもよい。Ｑサーチ＿Ｉパラメータは、しきい値を規定し、また、担当ＧＳＭセルの平均受信信号レベル（ＲＬＡ＿Ｃ）が、このしきい値を下回るとき、または、このしきい値を上回るときに、測定を実行するか否かを示す。インターＲＡＴ測定値は、ＵＥのバッテリ電力を節約するために、ＧＳＭセルに対する測定よりもより少ない頻度で実行されてもよい。
【００２５】
３Ｇセル再選択リスト上に存在し、かつ、よいチャネル状況にある、１つだけのＵＭＴＳチャネルしかないときに、ＵＥが起動された後３０秒以内に、ＵＥが、３Ｇセル再選択リスト中に含まれている、新しい最良のＷＣＤＭＡセルをＵＭＴＳチャネル上で識別し、選択できるように、ＵＥを設計してもよい。このことは、およそ３０秒毎のレートで、ＷＣＤＭＡサーチを実行することによって達成されてもよい。しかしながら、このように頻繁にＷＣＤＭＡサーチを実行することは、セル再選択の低い可能性しか有さないのに、かなりのバッテリ電力を消費するかもしれないという動作シナリオがある。例えば、ＵＥは、担当ＧＳＭセルから遠いが、別のセルを再選択するほどには遠くないかもしれない。ＵＥは、担当ＧＳＭセルのＲＬＡ＿ＣがＱサーチ＿Ｉパラメータによって与えられるしきい値を下回るとき、ＷＣＤＭＡサーチをおよそ３０秒毎に実行してもよい。ＷＣＤＭＡの受信信号レベルが、担当ＧＳＭセルの受信信号レベルよりも弱いときでさえも、ＷＣＤＭＡサーチをおよそ３０秒毎に繰り返してもよい。ＵＥは、このようにして、セル再選択を実行することなく、かなりの量のバッテリ電力を消費するかもしれない。
【００２６】
サーチスキーム１として呼んでもよい１つの観点では、ＵＥは、ＧＳＭおよびＷＣＤＭＡの受信信号レベルに基づいて、ＷＣＤＭＡサーチのレートを変化させてもよい。ＵＥは、以下のように、ＧＳＭの受信信号レベルと、ＷＣＤＭＡの受信信号レベルとの間の差を決定してもよい。
【数１】
2010522511.tif 000004
【００２７】
ここで、ＷＣＤＭＡ＿ＲＳＬは、ＵＭＴＳチャネルに対するＷＣＤＭＡの受信信号レベルであり、  
ＧＳＭ＿ＲＳＬは、担当ＧＳＭセルの受信信号レベルであり、  
ＲＳＬ＿差は、ＷＣＤＭＡの受信信号レベルと、ＧＳＭの受信信号レベルとの間の差である。  
数式（１）において、それぞれの受信信号レベルは、ｄＢｍの単位で与えられてもよく、これは、１ミリワットに関係する測定された電力である。ＲＳＬ差は、デシベル（ｄＢ）の単位で与えられてもよい。
【００２８】
１つの設計では、ＵＥは、ＲＳＬ差を、ＤＴＨしきい値に対して比較してもよく、以下のように、ＷＣＤＭＡサーチのレートを選択してもよい。
【数２】
2010522511.tif 000005
【００２９】
ここで、レート１は、３０秒毎またはより少なくてもよく、レート２は、レート１より遅くてもよい。
【００３０】
図２は、数式（２）における設計に基づいたＷＣＤＭＡサーチのレートの選択を示す。ＷＣＤＭＡ受信信号レベルが、ＤＴＨしきい値よりも少ない分だけ、ＧＳＭ受信信号レベルより悪い場合、ＵＥは、より速いレート１で、ＷＣＤＭＡサーチを実行してもよい。ＷＣＤＭＡ受信信号レベルが、ＤＴＨしきい値よりも多い分だけ、ＧＳＭ受信信号レベルより悪い場合、ＵＥは、より遅いレート２で、ＧＳＭサーチを実行してもよい。ＤＴＨしきい値は、２ｄＢ、３ｄＢ、５ｄＢ等であってもよい。レート２は、６０秒、１２０秒毎等であってもよい。
【００３１】
別の設計において、ＵＥは、複数（Ｋ）のしきい値、ＤＴＨ1からＤＴＨkに対して、ＲＳＬ差を比較してもよく、以下のように、ＷＣＤＭＡサーチのレートを選択してもよい。
【数３】
2010522511.tif 000006
【００３２】
ここで、レート１＜レート２＜・・・＜レートＫ＜レートＫ＋１である。
【００３３】
図３は、数式（３）の設計に基づいた、ＷＣＤＭＡサーチのレート選択を示す。Ｋ＋１範囲は、Ｋ個のしきい値、ＤＴＨ1からＤＴＨkで規定されてもよい。一般的に、Ｋは、１より大きい何らかの値であってもよい。それぞれの範囲は、異なるサーチレートに関係していてもよい。ＧＳＭの受信信号レベルと、ＷＣＤＭＡの受信信号レベルとの間の累進的により大きい差に対して、累進的により遅いサーチレートを使用してもよい。ＵＥは、ＲＳＬ差が入っている範囲を決定してもよく、この範囲に関係するレートでＷＣＤＭＡサーチを実行してもよい。例えば、Ｋは２に等しくてもよく、ＤＴＨ１＝２ｄＢと、ＤＴＨ２＝５ｄＢと（または、他の何らかの値）の２つのしきい値を使用してもよい。ＵＥは、ＲＳＬ差が２ｄＢより少ないとき、３０秒毎のレートでＷＣＤＭＡサーチを実行してもよく、ＲＳＬ差が２ｄＢと５ｄＢの間であるとき、６０秒毎のレートでＷＣＤＭＡサーチを実行してもよく、ＲＳＬ差が５ｄＢより大きいとき、１２０秒毎のレートでＷＣＤＭＡサーチを実行してもよい。他のしきい値と、他のレートもまた、使用してもよい。
【００３４】
さらに別の設計では、ＵＥは、以下のように、ＲＳＬ差の関数に基づいて、ＷＣＤＭＡサーチのレートを計算してもよい。
【数４】
2010522511.tif 000007
【００３５】
ここで、ｆ（  ）は、何らかの適切な関数であってもよい。例えば、以下のように、レートを計算してもよい。
【数５】
2010522511.tif 000008
【００３６】
ここで、Ｄは最小値であり、Ｋはスケーリング係数である。例えば、Ｄは、３０秒に等しくてもよく、Ｋは、１、２、４、８等に等しくてもよい。他の関数に基づいて、ＷＣＤＭＡサーチのレートを決定してもよい。
【００３７】
さらに別の設計では、ＵＥは、ＲＳＬ差がＳＴＨしきい値よりも小さい場合にＷＣＤＭＡサーチを実行してもよく、ＲＳＬ差がＳＴＨしきい値よりも大きい場合、ＷＣＤＭＡサーチをスキップしてもよい。さらに別の設計では、ＵＥは、複数のしきい値に対してＲＳＬ差を比較して、最も大きいしきい値よりも、ＲＳＬ差が大きい場合、ＷＣＤＭＡサーチをスキップしてもよく、最も大きいしきい値よりも、ＲＳＬ差が小さい場合、ＷＣＤＭＡサーチを実行してもよく、ＲＳＬ差が入っている範囲に基づいて、ＷＣＤＭＡサーチのレートを選択してもよい。
【００３８】
サーチスキーム２として呼んでもよい、別の観点では、ＵＥは、ＧＳＭとＷＣＤＭＡとに対する周波数帯域を考慮することによって、ＷＣＤＭＡサーチの特定の観点を制御してもよい。マルチＲＡＴ配置において、ＧＳＭセルとＷＣＤＭＡセルとは、一般的に、同一のセルサイトにおいて共に位置しており、同一の基地局タワーを共有しているが、異なる周波数帯域で動作する。セルからＵＥに対するパス損失は、Ｌの累乗（power）に対して上げられる周波数に比例していてもよく、ここで、Ｌは、ワイヤレス環境に依拠していてもよい損失係数である。Ｌは、２に等しくてもよく、または、より大きくてもよい。同一のセルサイトから、ＧＳＭ信号が周波数Ｆ１で送信され、ＷＣＤＭＡ信号が周波数Ｆ２で送信される場合、あるいは、類似した伝搬状況を観察する場合、ＧＳＭ信号に対するパス損失と、ＷＣＤＭＡ信号に対するパス損失との比を、以下のように表現してもよい。
【数６】
2010522511.tif 000009
【００３９】
ここで、Ａｔｔｅｎは、ＧＳＭ対ＷＣＤＭＡのパス損失比であり、線形単位におけるものである。
【００４０】
Ｆ１、Ｆ２、およびＬの値によって決定されている量で、Ｆ２＞Ｆ１である場合、ＷＣＤＭＡ信号は、ＧＳＭ信号より弱いことになるだろう。例えば、ＧＳＭ信号が、Ｆ１＝１８００ＭＨｚにおいて送信される場合、ＷＣＤＭＡ信号は、Ｆ２＝２１００ＭＨｚにおいて送信され、Ｌ＝２であり、次に、ＷＣＤＭＡ信号に対するパス損失は、ＧＳＭ信号に対するパス損失の（２１００／１８００）2＝１．３６倍であってもよい。受信信号レベルはパス損失に反比例しているので、ＷＣＤＭＡ信号の受信信号レベルは、ＧＳＭ信号の受信信号レベルを、およそ２７％（すなわち、１−１／１．３６）下回るだろう。この例は、パス損失と、信号周波数との間の、逆２乗関係を仮定する。非照準線状況の下で、パス損失係数Ｌは、２よりも大きいかも知れず、ＷＣＤＭＡ受信信号レベルは、上で与えられた値よりさらに弱いかもしれない。２のパス損失係数を仮定して、ＷＣＤＭＡ受信信号レベルがＧＳＭ受信信号レベルより弱い場合、より現実的な伝搬状況下で、ＷＣＤＭＡ受信信号レベルがＧＳＭ受信信号レベルより弱くなくことになるとして仮定することが安全であるかもしれない。
【００４１】
１つの設計において、ＵＥは、ＧＳＭとＷＣＤＭＡに対する周波数帯域と、担当ＧＳＭセルの受信信号レベルとの知識に基づいて、ＷＣＤＭＡサーチを実行するか否かを決定してもよい。ＵＥは、数式（６）に示したように、ＧＳＭとＷＣＤＭＡに対する周波数帯域に基づいて、Ａｔｔｅｎ係数を決定してもよい。次に、ＵＥは、ＷＣＤＭＡに対する周波数帯域に基づいて、以下のようにＷＣＤＭＡ信号の受信信号レベルを推定してもよい。
【数７】
2010522511.tif 000010
【００４２】
ここで、Ａｔｔｅｎ＿ｄＢは、ｄＢの単位におけるものであり、Ａｔｔｅｎから導出されてもよい。
【００４３】
ＵＥは、推定されたＷＣＤＭＡ受信信号レベルに基づいて、以下のようにＷＣＤＭＡサーチを実行するか否かを決定してもよい。
【数８】
2010522511.tif 000011
【００４４】
図４は、数式（８）における設計に基づいて、ＷＣＤＭＡサーチを実行するか否かの決定を示す。ＵＥは、推定ＷＣＤＭＡ受信信号レベルを、ＷＴＨしきい値に対して比較してもよい。推定ＷＣＤＭＡ受信信号レベルが、ＷＴＨしきい値よりも大きい場合、ＵＥは、ＷＣＤＭＡサーチを実行してもよく、そうでない場合、ＷＣＤＭＡサーチをスキップしてもよい。
【００４５】
別の設計において、ＵＥは、推定ＷＣＤＭＡ受信信号レベルに基づいて、ＷＣＤＭＡサーチのレートを決定してもよい。ＵＥは、推定ＷＣＤＭＡ受信信号レベルを、Ｍ個のしきい値、ＷＴＨ1からＷＴＨMに対して比較してもよく、ここで一般的に、Ｍ≧１である。ＵＥは、比較結果に基づいて、以下のようにＷＣＤＭＡサーチのレートを選択してもよい。
【数９】
2010522511.tif 000012
【００４６】
ここで、レート１＜レート２＜・・・レートＭ＜レートＭ＋１である。
【００４７】
図５は、数式（９）における設計に基づいた、ＷＣＤＭＡサーチのレートの選択を示す。Ｍ＋１の範囲を、Ｍ個のしきい値、ＷＴＨ1からＷＴＨMで規定してもよい。一般的に、Ｍは、１、または、より大きい何らかの値であってもよい。それぞれの範囲は、異なるサーチレートに関係付けられていてもよい。累進的により弱い推定ＷＣＤＭＡ受信信号レベルに対して、累進的により遅いサーチレートを使用してもよい。ＵＥは、推定ＷＣＤＭＡ受信信号レベルが入っている範囲を決定してもよく、この範囲に関係するレートでＷＣＤＭＡサーチを実行してもよい。一般的に、ＵＥは、推定ＷＣＤＭＡ受信信号レベルが弱いときに、より遅いレートでＷＣＤＭＡサーチを実行してもよく、推定ＷＣＤＭＡ受信信号レベルが強いときに、より速いレートでＷＣＤＭＡサーチを実行してもよい。
【００４８】
さらに別の設計では、ＵＥは、上に説明した２つの設計の組み合わせを実現してもよい。ＵＥは、推定ＷＣＤＭＡ受信信号レベルを、複数のしきい値に対して比較してもよく、推定ＷＣＤＭＡ受信信号レベルが、最も低いしきい値よりも悪い場合、ＷＣＤＭＡサーチをスキップし、推定ＷＣＤＭＡ受信信号レベルが、最も低いしきい値よりもよい場合、ＷＣＤＭＡサーチを実行して、推定ＷＣＤＭＡ受信信号レベルが入っている範囲に基づいて、ＷＣＤＭＡサーチのレートを選択してもよい。ＧＳＭとＷＣＤＭＡとに対する周波数帯域が知られているとき、係数Ａｔｔｅｎ＿ｄＢは、固定値である。したがって、ＵＥは、測定されたＧＳＭ受信信号レベルを、１組のしきい値ＧＴＨ1からＧＴＨMに対して、直接比較してもよく、ここで、ｍ＝１、・・・、Ｍに対して、ＧＴＨm＝ＷＴＨm＋Ａｔｔｅｎ＿ｄＢである。このことは、推定ＷＣＤＭＡ受信信号レベルを計算する必要性を回避する。
【００４９】
さらに別の設計では、ＵＥは、担当ＧＳＭセルの周波数帯域と受信信号レベルとに基づいて、ＷＣＤＭＡサーチを実行するための１つ以上の周波数帯域を選択してもよい。ＵＥは、担当ＧＳＭセルの周波数帯域に基づいて、対象のそれぞれのＵＭＴＳ帯域ｋに対するＡｔｔｅｎ（ｋ）を決定してもよい。次に、ＵＥは、そのＵＭＴＳ帯域に対するＡｔｔｅｎ（ｋ）と、ＧＳＭ受信信号レベルとに基づいて、それぞれのＵＭＴＳ帯域をサーチするか否かを決定してもよい。
【００５０】
さらに別の設計では、ＵＥは、それぞれの周波数帯域に対する減衰の予測される量に基づいて、複数の周波数帯域をサーチする順序を決定してもよい。担当ＧＳＭセルの周波数帯域に基づいて、ＵＥは、対象のそれぞれのＵＭＴＳ帯域ｋに対するＡｔｔｅｎ（ｋ）を決定してもよい。次に、ＵＥは、第１に、最も低い、Ａｔｔｅｎ（ｋ）値を有するＵＭＴＳ帯域をサーチしてもよく、次に、２番目に低いＡｔｔｅｎ（ｋ）値を有するＵＭＴＳ帯域をサーチしてもよい等である。
【００５１】
サーチスキーム２に対して、ＵＥは、ＧＳＭおよびＷＣＤＭＡに対する周波数帯域情報とともに、ＧＳＭ受信信号レベルを使用して、ＷＣＤＭＡサーチを実行するか否か、ＷＣＤＭＡサーチのレート、ＷＣＤＭＡサーチを実行する周波数帯域、および、周波数帯域がサーチされてもよい順序を決定してもよい。ＵＥはまた、ＧＳＭおよびＷＣＤＭＡの周波数帯域情報とともに、ＧＳＭ受信信号レベルに基づいて、ＷＣＤＭＡサーチの他の観点を制御してもよい。
【００５２】
１つの設計では、ＵＥは、アイドルモードに入る際に、サーチスキーム１および／または２を実現してもよい。別の設計では、ＵＥは、１つ以上の状況が満たされる場合のみ、サーチスキーム１および／または２を実現してもよい。例えば、ＵＥは、最近のＷＣＤＭＡサーチの予め定められた数が適切なＷＣＤＭＡセルを生成させるのに失敗した場合、最近の予め定められた秒数以内に、セル再選択が実行されていない場合等に、サーチスキーム１および／または２を実現してもよい。このような状況は、ＷＣＤＭＡサーチの数を減少させる前に、ＵＥが、安定した環境で、動作していることを確実にしてもよい。
【００５３】
１つの設計では、ＵＥは、特定の変更を余儀なくさせる状況に基づいて、サーチスキーム１および／または２をディセーブルしてもよい。例えば、ＧＳＭ受信信号レベルが低いしきい値を下回る場合、ＵＥが急速に変化しているチャネル状況を検出する（例えば、異なるＵＭＴＳチャネル上のＷＣＤＭＡ受信信号レベル中の広い変動）場合等に、ＵＥは、およそ３０秒毎に、ＷＣＤＭＡサーチを実行するように逆戻りしてもよい。これらの変更を余儀なくさせる状況は、ＵＥが、より素早く、よりよいセルに対するセル再選択を実行することを可能にする。
【００５４】
図６は、サーチスキーム１に基づいて、サーチを実行するためのプロセス６００の設計を示す。プロセス６００は、ＵＥ１５０または他の何らかのデバイスによって実行されてもよい。ＵＥは、第１のＲＡＴ（例えば、ＧＳＭまたは他の何らかのＲＡＴ）に対する受信信号レベルを決定してもよい（ブロック６１２）。ＵＥは、第１のＲＡＴ中の担当セルでは、アイドルモードで動作してもよく、この担当セルの受信信号レベルを、第１のＲＡＴに対する受信信号レベルとして使用してもよい。ＵＥは、第２のＲＡＴ（例えば、ＷＣＤＭＡまたは他の何らかのＲＡＴ）に対する受信信号レベルを決定してもよい（ブロック６１４）。第２のＲＡＴに対する受信信号レベルは、特定の周波数チャネルに対する測定値であってもよい。ＵＥは、第１のＲＡＴに対する受信信号レベルと、第２のＲＡＴに対する受信信号レベルとの間の差を決定してもよい（ブロック６１６）。ＵＥは、次に、第１のＲＡＴに対する受信信号レベルと、第２のＲＡＴに対する受信信号レベルとの間の差に基づいて、第２のＲＡＴに対するサーチレートを決定してもよい（ブロック６１８）。
【００５５】
１つの設計では、ＵＥは、差がしきい値よりも少ない場合、第１のレートを選択してもよく、差がしきい値よりも大きい場合、第１のレートより遅い、第２のレートを選択してもよい。別の設計では、ＵＥは、それぞれの範囲が異なるサーチレートに関係している、複数の範囲に対する複数のしきい値に対して、差を比較してもよい。ＵＥは、次に、差が入っている範囲に関係するサーチレートを選択してもよい。両方の設計に対して、ＵＥは、選択されたレートを第２のＲＡＴに対するサーチレートとして使用してもよい。さらに別の設計では、ＵＥは、差の関数に基づいて、第２のＲＡＴに対するサーチレートを決定してもよい。
【００５６】
１つの設計では、ＵＥは、少なくとも１つの状況が満たされるまで、予め定められたレートを、第２のＲＡＴに対するサーチレートとして選択してもよい。少なくとも１つの状況が満たされた後、ＵＥは、差に基づいて、複数の可能性あるレートのうちの１つを選択してもよく、選択されたレートを、第２のＲＡＴに対するサーチレートとして使用してもよい。第２のＲＡＴに対する最近のサーチの予め定められた数が失敗した場合、最近の予め定められた秒数以内に、セル再選択が実行されていない場合等に、少なくとも１つの状況が満たされてもよい。１つの設計では、ＵＥは、第１のＲＡＴに対する受信信号レベルが、低いしきい値を下回る場合、ＵＥは、すべての可能性あるレートの間で、最も早いレートを選択してもよい。
【００５７】
図７は、サーチスキーム２に基づいて、サーチを実行するプロセス７００の設計を示す。プロセス７００は、ＵＥ１５０または他の何らかのデバイスによって実行されてもよい。ＵＥは、第１のＲＡＴ（例えば、ＧＳＭまたは他の何らかのＲＡＴ）に対する受信信号レベルを決定してもよい（ブロック７１２）。ＵＥは、第１のＲＡＴに対する受信信号レベルと、第１および第２のＲＡＴに対する周波数帯域とに基づいて、第２のＲＡＴ（例えば、ＷＣＤＭＡまたは他の何らかのＲＡＴ）に対するサーチを制御してもよい（ブロック７１４）。
【００５８】
ブロック７１４に対して、ＵＥは、例えば、数式（６）に示したように、第１および第２のＲＡＴに対する周波数帯域に基づいて、第１のＲＡＴに対するパス損失と、第２のＲＡＴに対するパス損失との間の差を示す係数を決定してもよい。ＵＥは、次に、この係数と、第１のＲＡＴに対する受信信号レベルとに基づいて、第２のＲＡＴに対するサーチを制御してもよい。
【００５９】
１つの設計では、ＵＥは、第１のＲＡＴに対する受信信号レベルと、第１および第２のＲＡＴに対する周波数帯域とに基づいて、第２のＲＡＴに対するサーチを実行するか、または、スキップするかを決定してもよい。別の設計では、ＵＥは、第１のＲＡＴに対する受信信号レベルと、２つのＲＡＴに対する周波数帯域とに基づいて、第２のＲＡＴに対するサーチレートを決定してもよい。さらに別の設計では、ＵＥは、第１のＲＡＴに対する受信信号レベルおよび周波数帯域と、第２のＲＡＴに対する複数の周波数帯域とに基づいて、第２のＲＡＴに対する複数の周波数帯域のうちで少なくとも１つの周波数帯域を選択してもよい。ＵＥは、次に、この少なくとも１つの周波数帯域に対してのみ、第２のＲＡＴに対するサーチを実行してもよい。さらに別の設計では、ＵＥは、第２のＲＡＴに対する複数の周波数帯域の順序を決定してもよく、次に、複数の周波数帯域に対して、一時に１つの周波数帯域に対して、決定された順序にしたがって、第２のＲＡＴに対するサーチを実行してもよい。ＵＥはまた、他の方法で第２のＲＡＴに対するサーチを制御してもよい。
【００６０】
ここで説明する技術は、セル再選択に帰結しそうにないＷＣＤＭＡサーチの数を減少させることによって、電力消費を減少させてもよい。ＷＣＤＭＡセルが担当ＧＳＭセルよりよい、という見込みのないシナリオでは、このＷＣＤＭＡセルに対するセル再選択は、より頻繁でないＷＣＤＭＡサーチのために、遅延するかもしれない。しかしながら、特に、ＷＣＤＭＡサーチのレートが減少されるときに、ＵＥがアイドルモード中である場合、バッテリ電力の節約は、性能とのトレードオフを正当化させることになるだろう。１つのＵＥ設計では、アイドルモード中に消費された電流量は、（ｉ）ＷＣＤＭＡサーチが、３０秒毎の代わりに６０秒毎に実行されるときに、約５％だけ減少されてもよく、（ｉｉ）ＷＣＤＭＡサーチが１２０秒毎に実行されるときに、約７％だけ減少されてもよい。これは、約５％と約７％だけスタンバイ時間を延長させてもよい。ＷＣＤＭＡサーチのレートをさらに減少させることによって、スタンバイ時間における、さらなる改良が達成されてもよい。インターＲＡＴ測定をトリガするほど担当ＧＳＭセルから十分に離れているが、インターＲＡＴセル再選択をトリガするほど十分には遠くないリング中に、ＵＥが位置しているときに、この技術は特に有利である。
【００６１】
明確さのために、特に、ＧＳＭおよびＷＣＤＭＡに対して、サーチ技術を説明してきた。一般的に、何らかの数のＲＡＴ、および何らかの特定のＲＡＴに対してこの技術を使用してもよい。上に説明したように、ＵＥは、１つのＲＡＴの担当セルと通信してもよく、それぞれの残りのＲＡＴに対するサーチを制御してもよい。
【００６２】
図８は、ＵＥ１５０の設計のブロック図を示す。アップリンクまたはリバースリンク上で、ＵＥ１５０によって送られることになるデータとシグナリングは、エンコーダ８２２によって進められてもよく（例えば、フォーマットされ、エンコードされ、および、インターリーブされてもよく）、適応可能なＲＡＴ（例えば、ＧＳＭ、ＷＣＤＭＡ等）にしたがって、変調器（Ｍｏｄ）８２４によって、さらに処理され（例えば、変調され、チャネル化され、および、スクランブルされて）、出力チップを生成させてもよい。送信機（ＴＭＴＲ）８３２は、出力チップを調整して（例えば、アナログに変換し、フィルタし、増幅し、および周波数アップコンバートして）、アップリンク信号を生成させてもよく、アップリンク信号は、アンテナ８３４を介して送信されてもよい。
【００６３】
ダウンリンクまたはフォワードリンク上で、アンテナ８３４は、ＧＳＭシステム１１０中の基地局１１２によって、および／または、ＷＣＤＭＡシステム１２０中のノードＢ１２２によって、送信されるダウンリンク信号を受信してもよい。受信機（ＲＣＶＲ）８３６は、受信信号を調整して（例えば、フィルタし、増幅し、周波数ダウンコンバートし、および、デジタル化して）、サンプルを提供してもよい。復調器（Ｄｅｍｏｄ）８２６は、サンプルを処理して（例えば、デスクランブルし、チャネル化し、および、復調して）、シンボル推定を提供してもよい。デコーダ８２８は、シンボル推定をさらに処理して（例えば、デインターリーブ、およびデコードし）、デコードされたデータを提供してもよい。エンコーダ８２２、変調器８２４、復調器８２６、およびデコーダ８２８を、モデムプロセッサ８２０によって、実現してもよい。これらのユニットは、受信されているＲＡＴ（例えば、ＧＳＭ、ＷＣＤＭＡ等）にしたがって、処理を実行してもよい。例えば、復調器８２６は、スクランブリングシーケンスでデスクランブルを実行してもよく、直交コードで逆拡散を実行してもよく、ＷＣＤＭＡに対するデータ復調を実行してもよい。復調器８２６は、ＧＳＭに対する一致フィルタリングと等化を実行してもよい。
【００６４】
制御装置／プロセッサ８４０は、ＵＥ１５０において動作を制御してもよい。制御装置／プロセッサ８４０は、図６中のプロセス６００、図７中のプロセス７００、および／または、ここで説明するサーチ技術に対する、他の処理を実現してもよい。制御装置／プロセッサ８４０はまた、いつサーチを実行するかを決定するタイマーを実現してもよい。メモリ８４２は、ＵＥ１５０のためのデータとプログラムコードとを記憶してもよい。制御装置／プロセッサ８４０、および／または、メモリ８４２は、サーチパラメータ、および／または、それぞれのＲＡＴに対するサーチに対する、他の情報を記憶してもよい。メモリ８４２はまた、隣接リスト（例えば、３Ｇセル再選択リスト）、システムまたはＰＬＭＮの優先リスト、捕捉（Ａｃｑ）データベース、サーチ結果等を記憶してもよい。
【００６５】
当業者は、さまざまな異なる技術および技法を使用して情報および信号を表してもよいことを理解するだろう。例えば、上の説明を通して参照された、データ、命令、コマンド、情報、信号、ビット、シンボルおよびチップは、電圧、電流、電磁波、磁界または磁気の粒子、光学界または光の粒子、あるいはこれらの何らかの組み合わせにより、表してもよい。
【００６６】
ここで開示した実施形態に関連して述べられた、さまざまな例示的な論理ブロック、モジュール、回路およびアルゴリズムステップが、電子ハードウェア、コンピュータソフトウェア、あるいは双方の組み合わせたものとして実現されてもよいことを当業者はさらに正しく認識するであろう。ハードウェアおよびソフトウェアの交換可能性を明確に図示するために、さまざまな例示的なコンポーネント、ブロック、モジュール、回路およびステップを一般的にこれらの機能に関して上述した。このような機能がハードウェアあるいはソフトウェアとして実現されるか否かは、特定の応用および全体的なシステムに課せられた設計の制約に依存する。当業者は、それぞれの特定の応用に対して方法を変化させて、述べてきた機能を実現してもよいが、このような実現決定は、本発明の範囲からの逸脱を生じさせるものとして解釈すべきではない。
【００６７】
ここで開示した実施形態に関連して述べた、さまざまな例示的な論理的ブロック、モジュールおよび回路は、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいは、ここで述べてきた機能を実施するために設計されたこれらの組み合わせで、実現されるか、あるいは、実施されてもよい。汎用プロセッサはマイクロプロセッサであってもよいが、代替実施形態では、プロセッサは、何らかの従来のプロセッサ、制御装置、マイクロ制御装置、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このような構成の他の何らかのものとして実現してもよい。
【００６８】
ここで開示した実施形態と関連して述べた方法またはアルゴリズムのステップは、直接、ハードウェアで、プロセッサにより実行されるソフトウェアモジュールで、あるいは、２つの組み合わせで具体化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、あるいは、技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合される。代替実施形態では、記憶媒体はプロセッサと一体化されてもよい。プロセッサおよび記憶媒体は、ＡＳＩＣに存在してもよい。ＡＳＩＣはユーザ端末に存在してもよい。代替実施形態では、プロセッサおよび記憶媒体は、ユーザ端末中のディスクリートコンポーネントとして存在してもよい。
【００６９】
１つ以上の例示的な設計において、説明した機能を、ハードウェアや、ソフトウェアや、ファームウェアや、または、これらの任意の組み合わせによって実現してもよい。ソフトウェアで実現される場合、機能を、コンピュータ読取可能媒体中の１つ以上の命令またはコードとして記憶させてもよく、あるいは、コンピュータ読取可能媒体上で送信してもよい。コンピュータ読取可能媒体は、コンピュータ記憶媒体と、ある場所から別の場所へのコンピュータプログラムの転送を容易にさせる任意の媒体を含む通信媒体との両方を含む。記憶媒体は、コンピュータによってアクセスされることができる任意の利用可能な媒体であってもよい。例として、これらに制限される訳ではないが、このようなコンピュータ読取可能媒体は、ＲＡＭ、ＲＯＭ、ＥＥＰＲＯＭ、ＣＤ−ＲＯＭ、および他の光学ディスク、磁気ディスクストレージまたは磁気ストレージ装置、あるいは、所望のプログラムコードを命令またはデータ構造の形態で搬送または記憶するのに使用されることができ、かつ、コンピュータによってアクセスされることができる、他の任意の媒体を含むことができる。また、任意の接続は、厳密にコンピュータ読取可能媒体として呼ばれる。例えば、ソフトウェアが、ウェブサイト、サーバ、または、他の遠隔源から、同軸ケーブル、光ファイバーケーブル、撚線対、デジタル加入者回線（ＤＳＬ）、または、赤外線、無線、マイクロウェーブのようなワイヤレス技術を使用して送られる場合、同軸ケーブル、光ファイバーケーブル、撚線対、ＤＳＬ、または、赤外線、無線、マイクロウェーブのようなワイヤレス技術は、媒体の定義に含まれるものとする。ディスク（ｄｉｓｋとｄｉｓｃ）は、ここで使用するように、コンパクトディスク（ＣＤ）、レーザーディスク（登録商標）、光学ディスク、デジタル汎用ディスク（ＤＶＤ）、フロッピー（登録商標）ディスク、ブルーレイ（登録商標）ディスクを含み、ここで、ディスク（ｄｉｓｋ）は、通常は、磁気的にデータを再生し、ディスク（ｄｉｓｃ）は、レーザーで光学的にデータを再生する。上記のものの組み合わせがまた、コンピュータ読取可能媒体の範囲内に含まれるだろう。
【００７０】
開示した実施形態のこれまでの記述は、当業者が本発明を製作または使用できるように提供した。これらの実施形態に対するさまざま改良は当業者に容易に明らかとなり、ここに定義された一般的な原理は、本発明の精神および範囲を逸脱することなく、他の実施形態に適用されてもよい。したがって、本発明はここに示された実施形態に限定されることを意図しているものではなく、ここで開示されている原理および新しい特徴と一致した最も広い範囲に一致させるべきである。
【図１】
2010522511.tif 000013
【図２】
2010522511.tif 000014
【図３】
2010522511.tif 000015
【図４】
2010522511.tif 000016
【図５】
2010522511.tif 000017
【図６】
2010522511.tif 000018
【図７】
2010522511.tif 000019
【図８】
2010522511.tif 000020
【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
ワイヤレス通信のための装置において、
少なくとも１つのプロセッサと、
前記少なくとも１つのプロセッサに結合されているメモリと
を具備し、
前記少なくとも１つのプロセッサは、
第１の無線アクセス技術（ＲＡＴ）に対する受信信号レベルを決定し、
第２のＲＡＴに対する受信信号レベルを決定し、
前記第１のＲＡＴに対する受信信号レベルと、前記第２のＲＡＴに対する受信信号レベルとの間の差を決定し、
前記第１のＲＡＴに対する受信信号レベルと、前記第２のＲＡＴに対する受信信号レベルとの間の前記差に基づいて、前記第２のＲＡＴに対するサーチのレートを決定する
ように構成されている装置。
【請求項２】
前記少なくとも１つのプロセッサは、前記差に基づいて、複数の可能性あるレートのうちの１つを選択し、前記選択されたレートを、前記第２のＲＡＴに対するサーチのレートとして使用するように構成されている、請求項１記載の装置。
【請求項３】
前記少なくとも１つのプロセッサは、前記差がしきい値より小さいか、または等しい場合に、第１のレートを選択し、前記差が前記しきい値よりも大きい場合に、前記第１のレートより遅い第２のレートを選択するように構成されており、前記選択された第１または第２のレートを、前記第２のＲＡＴに対するサーチのレートとして使用するように構成されている、請求項１記載の装置。
【請求項４】
前記少なくとも１つのプロセッサは、複数の範囲についての複数のしきい値に対して前記差を比較し、前記差が入っている範囲に関係するサーチレートを、第２のＲＡＴに対するサーチのレートとして選択するように構成され、それぞれの範囲が異なるサーチレートに関係している、請求項１記載の装置。
【請求項５】
前記少なくとも１つのプロセッサは、前記差の関数に基づいて、前記第２のＲＡＴに対するサーチのレートを決定するように構成されている、請求項１記載の装置。
【請求項６】
前記少なくとも１つのプロセッサは、少なくとも１つの条件が満たされるまで、予め定められたレートを、前記第２のＲＡＴに対するサーチのレートとして選択し、前記少なくとも１つの条件が満たされた後に、前記差に基づいて、複数の可能性あるレートのうちの１つを、前記第２のＲＡＴに対するサーチのレートとして選択するように構成されている、請求項１記載の装置。
【請求項７】
前記第２のＲＡＴに対する予め定められた数の最近のサーチが不成功である場合に、または、セル再選択が予め定められた秒数内に実行されない場合に、または、両方の場合に、前記少なくとも１つの条件が満たされる、請求項６記載の装置。
【請求項８】
前記少なくとも１つのプロセッサは、前記第１のＲＡＴに対する受信信号レベルが低いしきい値を下回る場合に、前記第２のＲＡＴに対する、すべての可能性あるサーチのレートの中で、最も速いレートを選択するように構成されている、請求項１記載の装置。
【請求項９】
前記少なくとも１つのプロセッサは、前記第１のＲＡＴ中の担当セルとアイドルモードで動作し、前記担当セルの受信信号レベルを、前記第１のＲＡＴに対する受信信号レベルとして使用するように構成されている、請求項１記載の装置。
【請求項１０】
前記第１のＲＡＴは、移動体通信のためのグローバルシステム（ＧＳＭ）であり、前記第２のＲＡＴは、広帯域コード分割多元接続（ＷＣＤＭＡ）である、請求項１記載の装置。
【請求項１１】
ワイヤレス通信のための方法において、
第１の無線アクセス技術（ＲＡＴ）に対する受信信号レベルを決定することと、
第２のＲＡＴに対する受信信号レベルを決定することと、
前記第１のＲＡＴに対する受信信号レベルと、前記第２のＲＡＴに対する受信信号レベルとの間の差を決定することと、
前記第１のＲＡＴに対する受信信号レベルと、前記第２のＲＡＴに対する受信信号レベルとの間の前記差に基づいて、前記第２のＲＡＴに対するサーチのレートを決定することと
を含む方法。
【請求項１２】
前記サーチのレートを決定することは、
前記差に基づいて、複数の可能性あるレートのうちの１つを選択することと、
前記選択されたレートを、前記第２のＲＡＴに対するサーチのレートとして使用することと
を含む、請求項１１記載の方法。
【請求項１３】
前記サーチのレートを決定することは、
複数の範囲に対する少なくとも１つのしきい値に対して前記差を比較することと、
前記差が入っている範囲に関係するサーチレートを、第２のＲＡＴに対するサーチのレートとして選択することと
を含み、
それぞれの範囲が異なるサーチレートに関係している、請求項１１記載の方法。
【請求項１４】
前記サーチのレートを決定することは、
少なくとも１つの条件が満たされるまで、予め定められたレートを、前記第２のＲＡＴに対するサーチのレートとして選択することと、
前記少なくとも１つの条件が満たされた後に、前記差に基づいて、複数の可能性あるレートのうちの１つを、前記第２のＲＡＴに対するサーチのレートとして選択することと
を含む、請求項１１記載の方法。
【請求項１５】
前記第１のＲＡＴに対する受信信号レベルが低いしきい値を下回る場合に、前記第２のＲＡＴに対する、すべての可能性あるサーチのレートの中で、最も速いレートを選択することをさらに含む、請求項１１記載の方法。
【請求項１６】
ワイヤレス通信のための装置において、
第１の無線アクセス技術（ＲＡＴ）に対する受信信号レベルを決定する手段と、
第２のＲＡＴに対する受信信号レベルを決定する手段と、
前記第１のＲＡＴに対する受信信号レベルと、前記第２のＲＡＴに対する受信信号レベルとの間の差を決定する手段と、
前記第１のＲＡＴに対する受信信号レベルと、前記第２のＲＡＴに対する受信信号レベルとの間の前記差に基づいて、前記第２のＲＡＴに対するサーチのレートを決定する手段と
を具備する装置。
【請求項１７】
前記サーチのレートを決定する手段は、
複数の範囲に対する少なくとも１つのしきい値に対して前記差を比較する手段と、
前記差が入っている範囲に関係するサーチレートを、第２のＲＡＴに対するサーチのレートとして選択する手段と
を備え、
それぞれの範囲が異なるサーチレートに関係している、請求項１６記載の装置。
【請求項１８】
前記第１のＲＡＴに対する受信信号レベルが低いしきい値を下回る場合に、前記第２のＲＡＴに対する、すべての可能性あるサーチのレートの中で、最も速いレートを選択する手段をさらに具備する、請求項１６記載の装置。
【請求項１９】
命令を備えるコンピュータプログラムにおいて、
前記命令は、実行される際に、コンピュータに
第１の無線アクセス技術（ＲＡＴ）に対する受信信号レベルを決定させ、
第２のＲＡＴに対する受信信号レベルを決定させ、
前記第１のＲＡＴに対する受信信号レベルと、前記第２のＲＡＴに対する受信信号レベルとの間の差を決定させ、
前記第１のＲＡＴに対する受信信号レベルと、前記第２のＲＡＴに対する受信信号レベルとの間の前記差に基づいて、前記第２のＲＡＴに対するサーチのレートを決定させる、コンピュータプログラム。
【請求項２０】
前記命令は、実行される際に、前記コンピュータに
複数の範囲に対する少なくとも１つのしきい値に対して前記差をさらに比較させ、
前記差が入っている範囲に関係するサーチレートを、第２のＲＡＴに対するサーチのレートとしてさらに選択させ、
それぞれの範囲が異なるサーチレートに関係している、請求項１９記載のコンピュータプログラム。
【請求項２１】
前記命令は、実行される際に、前記コンピュータに
前記第１のＲＡＴに対する受信信号レベルが低いしきい値を下回る場合に、前記第２のＲＡＴに対する、すべての可能性あるサーチのレートの中で、最も速いレートをさらに選択させる、請求項１９記載のコンピュータプログラム。
【請求項２２】
ワイヤレス通信のための装置において、
少なくとも１つのプロセッサと、
前記少なくとも１つのプロセッサに結合されているメモリと
を具備し、
前記少なくとも１つのプロセッサは、
第１の無線アクセス技術（ＲＡＴ）に対する受信信号レベルを決定し、
前記第１のＲＡＴに対する受信信号レベルと、前記第１のＲＡＴに対する周波数帯域と、第２のＲＡＴに対する周波数帯域とに基づいて、前記第２のＲＡＴに対するサーチを制御する
ように構成されている装置。
【請求項２３】
前記少なくとも１つのプロセッサは、
前記第１のＲＡＴに対する周波数帯域と、前記第２のＲＡＴに対する周波数帯域とに基づいて、前記第１のＲＡＴに対するパス損失と、前記第２のＲＡＴに対するパス損失との間の差を示す係数を決定し、
前記第１のＲＡＴに対する前記係数と、前記第１のＲＡＴに対する受信信号レベルとに基づいて、前記第２のＲＡＴに対するサーチを制御する
ように構成されている、請求項２２記載の装置。
【請求項２４】
前記少なくとも１つのプロセッサは、前記第１のＲＡＴに対する受信信号レベルと、前記第１のＲＡＴに対する周波数帯域と、前記第２のＲＡＴに対する周波数帯域とに基づいて、前記第２のＲＡＴに対するサーチを実行するか、または、スキップするかを決定するように構成されている、請求項２２記載の装置。
【請求項２５】
前記少なくとも１つのプロセッサは、前記第１のＲＡＴに対する受信信号レベルと、前記第１のＲＡＴに対する周波数帯域と、前記第２のＲＡＴに対する周波数帯域とに基づいて、前記第２のＲＡＴに対するサーチのレートを決定するように構成されている、請求項２２記載の装置。
【請求項２６】
前記少なくとも１つのプロセッサは、前記第１のＲＡＴに対する受信信号レベルと、前記第１のＲＡＴに対する周波数帯域と、前記第２のＲＡＴに対する複数の周波数帯域とに基づいて、前記第２のＲＡＴに対する複数の周波数帯域の中で、少なくとも１つの周波数帯域を選択し、前記少なくとも１つの周波数帯域のみに対して、前記第２のＲＡＴに対するサーチを実行するように構成されている、請求項２２記載の装置。
【請求項２７】
前記少なくとも１つのプロセッサは、前記第２のＲＡＴに対する複数の周波数帯域の順序を決定し、１回につき１つの周波数帯域で、前記決定された順序にしたがって、前記複数の周波数帯域に対して、前記第２のＲＡＴに対するサーチを実行するように構成されている、請求項２２記載の装置。
【請求項２８】
ワイヤレス通信のための方法において、
第１の無線アクセス技術（ＲＡＴ）に対する受信信号レベルを決定することと、
前記第１のＲＡＴに対する受信信号レベルと、前記第１のＲＡＴに対する周波数帯域と、第２のＲＡＴに対する周波数帯域とに基づいて、前記第２のＲＡＴに対するサーチを制御することと
を含む、ワイヤレス通信のための方法。
【請求項２９】
前記第２のＲＡＴに対するサーチを制御することは、
前記第１のＲＡＴに対する受信信号レベルと、前記第１のＲＡＴに対する周波数帯域と、前記第２のＲＡＴに対する周波数帯域とに基づいて、前記第２のＲＡＴに対するサーチを実行するか、または、スキップするかを決定することを含む、請求項２８記載の方法。
【請求項３０】
前記第２のＲＡＴに対するサーチを制御することは、
前記第１のＲＡＴに対する受信信号レベルと、前記第１のＲＡＴに対する周波数帯域と、前記第２のＲＡＴに対する周波数帯域とに基づいて、前記第２のＲＡＴに対するサーチのレートを決定することを含む、請求項２８記載の方法。
【請求項３１】
前記第２のＲＡＴに対するサーチを制御することは、
前記第１のＲＡＴに対する受信信号レベルと、前記第１のＲＡＴに対する周波数帯域と、前記第２のＲＡＴに対する複数の周波数帯域とに基づいて、前記第２のＲＡＴに対する複数の周波数帯域の中で、少なくとも１つの周波数帯域を選択することと、
前記少なくとも１つの周波数帯域のみに対して、前記第２のＲＡＴに対するサーチを実行することと
を含む、請求項２８記載の方法。
【請求項３２】
前記第２のＲＡＴに対するサーチを制御することは、
前記第２のＲＡＴに対する複数の周波数帯域の順序を決定することと、
１回につき１つの周波数帯域で、前記決定された順序にしたがって、前記複数の周波数帯域に対して、前記第２のＲＡＴに対するサーチを実行することと
を含む、請求項２８記載の方法。
【国際調査報告】
2010522511.tif 000021
2010522511.tif 000022
2010522511.tif 000023
2010522511.tif 000024
2010522511.tif 000025
2010522511.tif 000026